(57)【要約】【課題】架空請求等の不正な請求による振込み取引を防止する。【解決手段】振込みを受けた受取人を識別する受取人口座情報と、その受取人口座情報に関連付けて受取人が行う現金引出し取引の可否を判定する引出し可能条件とを格納した引出し許可条件データベース５を上位装置３に設けた。振込人が行う振込み取引で入力された振込先口座情報および引出し可能条件を引出し許可条件データベース５に格納しておき、受取人が行う現金引出し取引で引出し許可条件データベース５から抽出した引出し可能条件により上位装置３が該現金引出し取引の可否を判定するとともにその引出し可能条件を満たさないとき該振込み取引を取消すようにした。【選択図】        図１
2007193676.tif 000002
【特許請求の範囲】
【請求項１】
現金引出しや振込み等の取引に必要な情報の入力を顧客の操作により受け付ける自動取引装置と、その自動取引装置から該情報を含む取引電文を受信して取引を許可する上位装置とを備えた自動取引システムにおいて、
振込人が行う振込み取引で入力された振込先口座情報および受取人が行う現金引出し取引の可否を判定する引出し可能条件を自動取引装置から受信した上位装置が、該振込先口座情報を受取人口座情報として該引出し可能条件とともに上位装置の引出し許可条件データベースに格納しておき、該振込みを受ける受取人が行う現金引出し取引で入力された受取人口座情報を自動取引装置から受信した上位装置が、その受取人口座情報に基づいて前記引出し許可条件データベースを検索し、抽出した前記引出し可能条件により該現金引出し取引の可否を判定するとともに前記引出し可能条件を満たさないとき該振込み取引を取消すようにしたことを特徴とする自動取引システム。
【請求項２】
請求項１の自動取引システムにおいて、
前記引出し可能条件を設定した日付を格納する引出し可能条件設定日を前記引出し許可条件データベースに設け、
前記上位装置が、前記引出し可能条件設定日から前記上位装置の記憶部に予め記憶された有効期限を経過した前記振込み取引を取消すようにしたことを特徴とする自動取引システム。
【請求項３】
請求項１または請求項２の自動取引システムにおいて、
前記引出し可能条件を、振込人により自動取引装置で入力されたパスワードとし、前記受取人により入力されたパスワードを自動取引装置から受信した上位装置が、該パスワードと抽出した前記引出し可能条件とを照合して前記現金引出し取引の可否を判定するようにしたことを特徴とする自動取引システム。
【請求項４】
請求項１または請求項２の自動取引システムにおいて、
前記引出し可能条件を、振込人により自動取引装置で入力された引出し可能日時とし、上位装置が、時計部で読み出した現在の日時と抽出した前記引出し可能条件とを照合して前記現金引出し取引の可否を判定するようにしたことを特徴とする自動取引システム。
【請求項５】
請求項１または請求項２の自動取引システムにおいて、
前記引出し可能条件を、振込人により自動取引装置で入力された金融機関および店舗からなる引出し可能場所とし、上位装置が、予め記憶された金融機関および店舗を記憶部から読み出し、該金融機関および店舗と前記抽出した引出し可能条件とを照合して前記現金引出し取引の可否を判定するようにしたことを特徴とする自動取引システム。
【請求項６】
請求項１から請求項４または請求項５の自動取引システムにおいて、
顧客を識別する顧客口座情報に関連付けてその顧客が行なった取引の履歴情報を格納する取引履歴データベースを前記上位装置に設け、
振込人が行う振込み取引で入力された振込先口座への振込み取引の履歴が存在しない場合、入力された引出し可能条件を上位装置の引出し許可条件データベースに格納するようにしたことを特徴とする自動取引システム。
【請求項７】
請求項１から請求項５または請求項６の自動取引システムにおいて、
前記振込みを受ける受取人が現金引出し取引を行う自動取引装置に、該振込みを受領する確認ボタン、該振込みの受領を拒否する拒否ボタンおよび該振込みの受領を保留する保留ボタンからなる受領確認画面を表示し、該保留ボタンが押下されたとき、該受取人が行う次回の現金引出し取引で再び前記受領確認画面を表示させるようにしたことを特徴とする自動取引システム。
【請求項８】
現金支払いや振込み等の取引に必要な情報の入力を顧客の操作により受け付ける自動取引装置と、その自動取引装置から該情報を含む取引電文を受信して取引を許可する上位装置とを備えた自動取引システムにおいて、
自動取引装置から振込金額を含む振込み取引電文を受信した上位装置が、該振込金額と予め記憶部に設定された振込限度額とを比較し、その振込限度額を超える振込取引を拒否するようにしたことを特徴とする自動取引システム。
【請求項９】
現金引出しや振込み等の取引に必要な情報の入力を顧客の操作により受け付け、該情報を含む取引電文を送信し、取引の許可を上位装置から受信して取引を行う自動取引装置において、
受取人が行う現金引出し取引の可否を判定する引出し可能条件の入力を顧客操作表示部で受付け、該引出し可能条件を上位装置へ送信するようにしたことを特徴とする自動取引装置。
【発明の詳細な説明】
【技術分野】
【０００１】
本発明は、顧客の操作により現金引出しおよび振込み等の取引を行なう自動取引装置および自動取引システムに関する。
【背景技術】
【０００２】
従来の自動取引装置および自動取引システムは、予め顧客が設定した使用可能条件をキャッシュカード、または、金融機関のホストコンピュータの記憶手段に記憶させておくことにより、その使用可能条件を満たさない場合に、そのキャッシュカードを使用した取引を行うことができないようにして第三者による不正な取引を防止しているものがある（例えば、特許文献１参照）。
【特許文献１】特開２００４−３２６５０９号公報（段落「００４７」〜段落「００５７」、図１）
【発明の開示】
【発明が解決しようとする課題】
【０００３】
しかしながら、上述した従来の技術においては、顧客が所有するキャッシュカードを紛失したり、盗難等に遭ったりした場合、そのキャッシュカードを利用した不正な現金引出し等の取引を防止することはできたが、近年、社会問題になっている悪徳業者等による架空の請求による不正な振込み取引や親族等の身内を装って振込みを依頼する不正な振込み取引を防止することができないという問題がある。
【０００４】
本発明は、このような問題を解決することを課題とする。
【課題を解決するための手段】
【０００５】
そのため、本発明は、現金引出しや振込み等の取引に必要な情報の入力を顧客の操作により受け付ける自動取引装置と、その自動取引装置から該情報を含む取引電文を受信して取引を許可する上位装置とを備えた自動取引システムにおいて、振込人が行う振込み取引で入力された振込先口座情報および受取人が行う現金引出し取引の可否を判定する引出し可能条件を自動取引装置から受信した上位装置が、該振込先口座情報を受取人口座情報として該引出し可能条件とともに上位装置の引出し許可条件データベースに格納しておき、該振込みを受ける受取人が行う現金引出し取引で入力された受取人口座情報を自動取引装置から受信した上位装置が、その受取人口座情報に基づいて前記引出し許可条件データベースを検索し、抽出した前記引出し可能条件により該現金引出し取引の可否を判定するとともに前記引出し可能条件を満たさないとき該振込み取引を取消すようにしたことを特徴とする。
【発明の効果】
【０００６】
このようにした本発明は、引出し可能条件を知らない者による現金引出し取引を不可能なものとして架空請求等の不正な請求による振込み取引を防止することができるという効果が得られる。
【発明を実施するための最良の形態】
【０００７】
以下、図面を参照して本発明による自動取引装置および自動取引システムの実施例を説明する。
【実施例】
【０００８】
まず、第１の実施例について説明する。
図１は第１の実施例における自動取引システムの構成を示すブロック図、図２は第１の実施例における自動取引装置の構成を示すブロック図、図３は第１の実施例における引出し許可条件データベースの構成を示す説明図である。
図１において、１は自動取引装置であり、銀行等の金融機関の店舗またはコンビニエンスストア等の店舗等に設置されるものである。この自動取引装置１は顧客の操作により現金引出しや現金入金および振込み等の取引ができるものである。また、通信回線２に通信可能に接続されている。
【０００９】
３はホストコンピュータであり、銀行等の金融機関の事務センタ等に設置される自動取引装置１の上位装置である。このホストコンピュータ３はＣＰＵ（Ｃｅｎｔｒａｌ  Ｐｒｏｃｅｓｓｉｎｇ  Ｕｎｉｔ）、ＭＰＵ（Ｍｉｃｒｏ  Ｐｒｏｃｅｓｓｉｎｇ  Ｕｎｉｔ）等の演算および制御手段である制御部、磁気ディスク、半導体メモリ等の記憶手段である記憶部、日付や時刻等を計測する手段である時計部および通信手段である通信部等を備えるものであり、通信回線２を介して自動取引装置１等と相互に通信可能に接続されている。
【００１０】
また、このホストコンピュータ３は自動取引装置１との間で現金引出し、現金入金、振込み等の取引電文の送受信を行い顧客の取引を成立させるか否かを判断するとともにその取引の処理を行う。
さらに、顧客の口座番号と顧客の暗証番号等で本人であるか否かの本人認証も行なう。
また、ホストコンピュータ３は図示しない顧客データベースを備え、その顧客データベースには顧客の口座番号等の口座情報に関連付けて住所、氏名、電話番号および本人認証のための暗証番号等が格納されている。
【００１１】
４は取引履歴情報データベースであり、ホストコンピュータ３に備えられたものである。この取引履歴情報データベース４は、顧客が行なった取引の履歴を示す取引履歴情報を記憶するものであり、顧客の口座番号等の顧客口座情報に関連付けてその取引履歴情報を記憶する。したがって、ホストコンピュータ３は顧客の口座番号等の口座情報に基づいて取引履歴情報データベース４を検索し、顧客が行なった取引の履歴を示す取引履歴情報を抽出することができる。
【００１２】
この取引履歴情報には振込先口座番号等の振込先情報が含まれ、顧客が行った振込み取引における振込先を知ることができるものである。
５は引出し許可条件データベースであり、ホストコンピュータ３に備えられたものである。この引出し許可条件データベース５は、顧客の口座に振込みがあった場合において、その顧客、すなわち、受取人が口座から現金引出し取引を自動取引装置１で行うとき、その現金引出し取引を許可する条件や振込元口座情報等を記憶するものである。この現金引出し取引を許可する条件は、振込先である受取人の口座番号等の口座情報に関連付けて記憶され、ホストコンピュータ３は受取人の口座番号等の口座情報に基づいて引出し許可条件データベース５を検索して抽出することができる。
【００１３】
上述したように自動取引システムは通信回線２を介して相互に通信可能に接続された自動取引装置１、ホストコンピュータ３等で構成されたものである。
図２において、１１は顧客操作表示部であり、タッチパネル等の操作部および液晶ディスプレイ等の表示部で構成されたものである。この顧客操作表示部１１はＣＲＴディスプレイや液晶ディスプレイ等の表示部上にタッチパネルを配置し顧客が行なう入力操作等を検知するものであり、また、取引選択画面、顧客が選択した取引に対して顧客の入力操作等の誘導を行なう画面および入力された情報等を表示するものである。
【００１４】
顧客操作表示部１１で検知した入力操作等は後述する制御部に信号を出力して通知する。
１２はカードリーダ部であり、カード読取り書込み機構およびカード搬送機構等を備えたものである。このカードリーダ部１２は、顧客がカード挿入返却口に挿入したカードの磁気ストライプやＩＣチップ等から口座番号等の口座情報を読取る。口座番号等の口座情報を読取ったカードはカード挿入返却口から排出して顧客に返却する。このカード挿入返却口はカードの挿入を検知する機構およびカードの受取りを検知する機構を設けたものである。
【００１５】
１３は入出金部であり、紙幣入出金機および硬貨入出金機で構成されたものである。この入出金部１３は現金引出し取引や現金入金取引に伴う紙幣や硬貨の入出金処理を行なう。ここで、入金処理とは顧客が入出金口に入れた紙幣を紙幣入出金機で計数して金庫に収納し、入出金口に入れた硬貨を硬貨入出金機で計数して金庫に収納することである。また、出金処理とは顧客の操作により指定した金額に相当する紙幣および硬貨をそれぞれ紙幣入出金機および硬貨入出金機の金庫から繰り出して計数し入出金口に搬送して顧客に払い出すことである。
【００１６】
この入出金口は挿入された紙幣ならびに硬貨を検知する機構および搬送された紙幣ならびに硬貨の受取りを検知する機構を設けたものである。
なお、入出金部１３は紙幣入出金機および硬貨入出金機で構成されたものに限られることなく、紙幣入出金機のみで構成されたものであってもよく、さらに、この入出金部１３を備えないものであってもよい。
【００１７】
１４は記憶部であり、半導体メモリや磁気ディスク等で構成され情報を記憶し、記憶した情報を読取ることができるものである。この記憶部１４には自動取引装置１全体の動作を制御する制御プログラム（ソフトウェア）、顧客操作表示部１１に表示する画面データおよび顧客が行なう取引に必要な情報等を記憶する。
また、この記憶部１４には自動取引装置１が設置される金融機関を示す金融機関コードおよび店舗を示す店舗コードが予め格納されているものとする。
【００１８】
１５は制御部であり、ＣＰＵ等の演算および制御手段等で構成されたものである。この制御部１５は顧客操作表示部１１、カードリーダ部１２、入出金部１３、記憶部１４および通信制御を行う図示しない通信部を含めて自動取引装置１全体の動作を記憶部１４に格納された制御プログラム（ソフトウェア）に基づいて制御する。
なお、制御部１５は日付や時刻等を計測する手段であるカレンダーおよび時計機能等も有している。
【００１９】
次に、引出し許可条件データベースの構成について説明する。
図３において、２１は受取人口座情報であり、受取人である顧客が所有する金融機関等の口座を識別する情報、すなわち、金融機関名、支店名、口座番号等の情報を格納するものである。この受取人口座情報２１に関連付けて各種情報を引出し許可条件データベース５に格納する。なお、この受取人口座情報２１は顧客が口座を開設したときにその口座情報が格納されるものとする。
【００２０】
２２は振込元口座情報であり、振込みを行った顧客が所有する金融機関等の口座を識別する情報、すなわち、金融機関名、支店名、口座番号等の情報を格納するものである。この振込元口座情報２２は振込元口座から振込先口座へ振り込まれる場合に格納されるものであり、口座間の振込みでなく現金による振込みの場合は空白文字等が格納されるものとする。
【００２１】
２３は振込元氏名であり、振込みを行なった顧客の氏名を格納するものである。この振込元氏名２３は振込元口座から振込先口座へ振り込まれる場合はその振込元口座に対応する口座名義人の氏名が格納されるものであり、口座間の振込みでなく現金による振込みの場合は顧客操作表示部１１より入力された氏名が格納されるものとする。
２４は振込金額であり、振込みが行われた金額を格納するものである。
【００２２】
２５は引出し可能条件であり、振込依頼人が設定したパスワードや暗証番号等を格納するものである。この引出し可能条件２５は受取人が自動取引装置１において現金引出し取引を行うときに必要になるものである。ここで、この引出し可能条件２５には、パスワードや暗証番号等以外にも振込依頼人が設定した引き出し可能な時間帯、引き出し可能な日付、引き出し可能な期間等の引き出し可能期日および引き出し可能な金融機関、店舗等の引き出し場所を格納するようにしてもよい。
【００２３】
２６は引出し可能条件設定日であり、振込依頼人が引出し可能条件２５を設定した日付等を格納するものである。この引出し可能条件設定日２６に格納された日付から起算してホストコンピュータ３の記憶部に予め記憶された一定の期間を経過しても受取人による引き出し取引がない場合、ホストコンピュータ３は、その振込金を振込元口座等に戻してその振込取引を取消すものとする。
【００２４】
上述したように引出し可能条件データベース５は、受取人口座情報２１、振込元口座情報２２、振込元氏名２３、振込金額２４、引出し可能条件２５および引出し可能条件設定日２６で構成され、振込依頼人である顧客が自動取引装置１等で行なう振込取引が成立したとき、受取人口座情報２１に関連付けて振込元口座情報２２、振込元氏名２３、振込金額２４、引出し可能条件２５および引出し可能条件設定日２６がホストコンピュータ３により格納されるものとする。
【００２５】
上述した構成の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、振込依頼人が自動取引装置１で行う振込み取引処理を説明する。
【００２６】
図４は第１の実施例における振込み取引処理のフローチャートであり、図中Ｓで表すステップにしたがって説明する。
Ｓ１ａ：図示しない自動取引装置１の近接センサにより振込依頼人である顧客の接近を検知すると自動取引装置１の顧客操作表示部１１は取引選択画面を表示する。この取引選択画面は、「いらっしゃいませ。お取引をお選びください。」等の文言および「お引出し」、「お振込み」、「お預入れ」、「残高照会」等の取引選択ボタンで構成されたものである。
【００２７】
Ｓ２ａ：顧客操作表示部１１に取引選択画面が表示されると顧客は希望する取引に対応する取引選択ボタンである「お振込み」を押下するものとする。
顧客操作表示部１１が「お振込み」の取引選択ボタンの押下を検知すると顧客操作表示部１１は制御部１５の指示により顧客にカードの挿入を促すカード挿入誘導画面を表示する。顧客はカード挿入誘導画面にしたがって所持しているカードをカードリーダ部１２のカード挿入排出口から挿入する。
【００２８】
カードリーダ部１２は挿入されたカードの磁気ストライプやＩＣチップ等から口座番号等の口座情報を読取る。カードが挿入されると顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００２９】
顧客が暗証番号を入力すると制御部１５は通信回線２を介してその暗証番号をカードから読取った口座情報等とともにホストコンピュータ３へ送信する。
ホストコンピュータ３は受信した顧客の口座番号等の口座情報に基づいて顧客データベース４を検索して暗証番号を抽出し、受信した暗証番号と比較して一致するか否かの照合、すなわち、本人認証を行う。ホストコンピュータ３は通信部を介してその結果を自動取引装置１へ送信する。
【００３０】
なお、本人認証は暗証番号を使用したものに限られるものでなく、生体認証等を使用した本人認証であってもよい。
Ｓ３ａ、Ｓ４ａ：本人認証の結果、本人であることが確認できると自動取引装置１の顧客操作表示部１１は通常の振込み情報入力画面を表示する。この振込み情報入力画面において、振込依頼人は振込先である受取人の金融機関名、支店名、口座番号等の口座情報および振込み金額等の振込み情報を入力する。
【００３１】
なお、本人認証の結果、本人であることが確認できなかった場合、制御部１５の指示によりカード処理部１２は挿入されたカードを振込依頼人に返却して振込み設定の取引を終了する。
顧客操作表示部１１で受取人の金融機関名、支店名、口座番号および振込み金額等の振込み情報の入力を受け付けると制御部１５はその振込み情報をカードから読取った振込依頼人の口座情報とともにホストコンピュータ３へ送信する。
【００３２】
Ｓ５ａ：振込み情報およびカードから読取った振込依頼人の口座情報を受信したホストコンピュータ３は取引履歴情報データベース４の顧客口座情報を振込依頼人の口座情報に基づいて検索して取引履歴情報を抽出し、さらに、その取引履歴情報を検索し、受信した振込先口座番号等が含まれている否かを判定する。すなわち、ホストコンピュータ３は、当該振込依頼人によるその受取人への振込み取引の履歴の有無を判定する。
【００３３】
その判定の結果、その受取人への振込み取引の履歴が存在すると判定されると処理をＳ７ａへ移行する。
Ｓ６ａ：一方、その判定の結果、その受取人への振込み取引の履歴が存在しないと判定されるとホストコンピュータ３はパスワードの設定を指示する電文を自動取引装置１へ送信する。そのパスワードの設定を指示する電文を受信した自動取引装置１の顧客操作表示部１１は顧客のパスワードの入力を受け付けるパスワード入力画面を表示する。このパスワード入力画面には「１」から「９」および「０」ボタン等の数字ボタンやアルファベットを入力する英字ボタン等で構成される操作ボタンを表示する。顧客操作表示部１１がパスワード入力画面を表示すると振込依頼人である顧客は表示された操作ボタンを押下してパスワードを入力する。
【００３４】
顧客操作表示部１１でパスワードの入力を受け付けると入力されたパスワードを受取人の金融機関名、支店名、口座番号ならびに振込み金額等の振込み情報およびカードから読取った振込依頼人の口座情報とともにホストコンピュータ３へ送信する。
ホストコンピュータ３は受信した受取人の金融機関名、支店名、口座番号に基づいて引出し許可情報データベース５の受取人口座情報２１を検索し、その受取人口座情報２１に関連付けて、振込依頼人の口座情報を振込元口座情報２２に、振込み金額を振込金額２４に、パスワードを引出し可能条件２５に格納するとともに現在の日付を引出し可能条件設定日２６に格納する。なお、振込元氏名２３は振込依頼人の口座情報に基づいて顧客データベースを検索し、抽出した振込依頼人の氏名を格納するものとする。
【００３５】
なお、パスワードの入力を受け付けた自動取引装置１はそのパスワードを顧客操作表示部１１により表示するものとする。また、図示しない明細票印刷部によりそのパスワードを明細票に印刷して振込依頼人に発行するようにしてもよい。
Ｓ７ａ：ホストコンピュータ３は受信した受取人の金融機関名、支店名、口座番号ならびに振込み金額等の振込み情報および振込依頼人の口座情報に基づいて通常の振込処理を行う。
【００３６】
このようにして振込依頼人は自動取引装置１で振込み取引処理を行う。
次に、受取人が自動取引装置１で行う現金引出し取引処理を説明する。
図５は第１の実施例における現金引出し取引処理のフローチャートであり、図中Ｓで表すステップにしたがって説明する。
Ｓ１ｂ：図示しない自動取引装置１の近接センサにより受取人である顧客の接近を検知すると自動取引装置１の顧客操作表示部１１は取引選択画面を表示する。この取引選択画面は、「いらっしゃいませ。お取引をお選びください。」等の文言および「お引出し」、「お振込み」、「お預入れ」、「残高照会」等の取引選択ボタンで構成されたものである。
【００３７】
Ｓ２ｂ：顧客操作表示部１１に取引選択画面が表示されると顧客は希望する取引に対応する取引選択ボタンである「お引出し」を押下するものとする。
顧客操作表示部１１が「お引出し」の取引選択ボタンの押下を検知すると顧客操作表示部１１は制御部１５の指示により顧客にカードの挿入を促すカード挿入誘導画面を表示する。顧客はカード挿入誘導画面にしたがって所持しているカードをカードリーダ部１２のカード挿入排出口から挿入する。
【００３８】
Ｓ３ｂ：カードリーダ部１２は挿入されたカードの磁気ストライプやＩＣチップ等から口座番号等の口座情報を読取る。カードが挿入されると顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００３９】
顧客が暗証番号を入力すると制御部１５は通信回線２を介してその暗証番号をカードから読取った口座情報等とともにホストコンピュータ３へ送信する。
ホストコンピュータ３は受信した顧客の口座番号等の口座情報に基づいて顧客データベース４を検索して暗証番号を抽出し、受信した暗証番号と比較して一致するか否かの照合、すなわち、本人認証を行う。ホストコンピュータ３は通信部を介してその結果を自動取引装置１へ送信する。
【００４０】
なお、本人認証は暗証番号を使用したものに限られるものでなく、生体認証等を使用した本人認証であってもよい。
本人認証の結果、本人であることが確認できるとホストコンピュータ３は受信した口座情報に基づいて引出し可能条件データベース５の受取人口座情報２１を検索し、振込元口座情報２２、振込元氏名２３、振込金額２４、引出し可能条件２５および引出し可能条件設定日２６を抽出する。
【００４１】
ホストコンピュータ３は抽出した振込元口座情報２２、振込元氏名２３、振込金額２４、引出し可能条件２５および引出し可能条件設定日２６とともにパスワードの入力を要求する電文を自動取引装置１へ送信する。
なお、抽出した振込元口座情報２２等に情報が格納されていない場合、すなわち、当該顧客に振込みが行われていない場合は通常の現金引出し取引を行なうものとする。
【００４２】
Ｓ４ｂ：抽出した振込元口座情報２２、振込元氏名２３、振込金額２４、引出し可能条件２５および引出し可能条件設定日２６等とともにパスワードの入力を要求する電文を受信した自動取引装置１の顧客操作表示部１１は図１１に示す振込み受領確認画面を表示する。この振込み受領確認画面は「お客様に次のお振込みがありました。受領しますか？  受領する場合は確認を押してください  受領しない場合は拒否を押してください  今回受領しない場合は保留を押してください」等の文言および振込人氏名、口座番号、金額ならびに受領を選択する「確認」ボタン、受領拒否を選択する「拒否」ボタン、今回受領しないを選択する「保留」ボタン等で構成されたものである。
【００４３】
この振込み受領確認画面の振込人氏名、口座番号、金額は受信した振込元氏名２３、振込元口座情報２２、振込金額２４を表示するものとする。
Ｓ５ｂ：制御部１５は「確認」ボタン、「拒否」ボタンまたは「保留」ボタンの押下を待つ。「拒否」ボタンの押下を検知すると処理をＳ１１ｂへ、「保留」ボタンの押下を検知すると処理をＳ１２ｂへ移行させる。
【００４４】
Ｓ６ｂ：一方、「確認」ボタンが押下されたことを検知すると制御部１５は受信した引出し可能条件設定日２６から所定の期間が経過しているか否かを判定する。なお、この所定の期間はホストコンピュータ３から受信したパスワードの入力を要求する電文に含まれているものとする。判定の結果、所定の期間が経過していると判定されると処理をＳ１１ｂへ移行させる。
【００４５】
ここで、この引出し可能条件設定日２６から所定の期間が経過しているか否かを判定は、ホストコンピュータ３で自動取引装置１における取引の有無に関わらず行うようにしてもよい。
Ｓ７ｂ：一方、判定の結果、所定の期間が経過していないと判定されると制御部１５の指示により顧客操作表示部１１は顧客のパスワードの入力を受け付けるパスワード入力画面を表示する。このパスワード入力画面には「１」から「９」および「０」ボタン等の数字ボタンやアルファベットを入力する英字ボタン等で構成される操作ボタンを表示する。顧客操作表示部１１がパスワード入力画面を表示すると受取人である顧客は表示された操作ボタンを押下してパスワードを入力する。ここで、受取人である顧客が入力するパスワードは予め振込依頼人から知得しておくものとする。
【００４６】
顧客操作表示部１１でパスワードの入力を受け付けると入力されたパスワードをカードから読取った受取人の口座情報とともにホストコンピュータ３へ送信する。
Ｓ８ｂ：パスワードを受取人の口座情報とともに受信したホストコンピュータ３はその受取人の口座情報に基づいて引出し許可条件データベース５の受取人口座情報２１を検索し、引出し可能条件２５を抽出して受信したパスワードと照合する。照合の結果、一致しない場合は処理をＳ１１ｂへ移行する。
【００４７】
Ｓ９ｂ：一方、照合の結果、一致した場合、ホストコンピュータ３は引出し金額の入力を要求する電文を自動取引装置１へ送信する。引出し金額の入力を要求する電文を受信した自動取引装置１の顧客操作表示部１１は引出し金額を入力する画面を表示し、引出し金額の入力を受付ける。
Ｓ１０ｂ：引出し金額の入力を受付けると以降は通常の現金引出し取引を実行する。
【００４８】
Ｓ１１ｂ：一方、Ｓ５ｂにおいて拒否ボタンが押下され、Ｓ６ｂにおいて所定の期間が経過し、Ｓ８ｂにおいてパスワードが一致しなかった場合、振込金額を振込元口座へ戻す振込取消処理を行う。これにより、振込依頼人が行った振込み取引はなかったものとされる。
Ｓ１２ｂ：また、Ｓ５ｂにおいて保留ボタンが押下された場合、次回の取引時に再度振込受領確認を行なうようにする振込受領保留処理を行う。
【００４９】
このようにして受取人は自動取引装置１で現金引出し取引を行なう。
なお、本実施例では自動取引装置１の顧客操作表示部１１で入力されたパスワードと引出し可能条件２５の照合はホストコンピュータ３で行うようにしたが、自動取引装置１の制御部１５で行うようにしてもよい。
また、本実施例では、自動取引装置１で行う振込み取引で説明したがパーソナルコンピュータ等で行うインターネットバンキングの振込み取引で行うようにしてもよい。
【００５０】
以上説明したように、第１の実施例では、振込依頼者が設定したパスワードを受取人に入力させて現金引出し取引を可能にさせることにより、パスワードを知らない者による現金引出し取引を不可能なものとして架空請求等の不正な請求を防止することができるという効果が得られる。
また、振込依頼人が誤った口座に振り込んでしまった場合、所定の期間が経過するとその振込みを取消すことができるという効果が得られる。
次に、第２の実施例を説明する。
【００５１】
第２の実施例の構成は第１の実施例の構成と同様なので同一の符号を付してその説明を省略する。
第２の実施例の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
【００５２】
まず、振込依頼人が自動取引装置１で行う振込み取引処理を説明する。
図６は第２の実施例における振込み取引処理のフローチャートであり、図中Ｓで表すステップにしたがって説明する。
Ｓ１ｃからＳ５ｃ：Ｓ１ａからＳ５ａと同様なのでその説明を省略する。
Ｓ６ｃ：一方、Ｓ５ｃの判定の結果、その受取人への振込み取引の履歴が存在しないと判定されるとホストコンピュータ３は引出し可能期日の設定を指示する電文を自動取引装置１へ送信する。その引出し可能期日の設定を指示する電文を受信した自動取引装置１の顧客操作表示部１１は顧客の引出し可能期日の入力を受け付ける引出し可能期日入力画面を表示する。この引出し可能期日入力画面には「１」から「９」および「０」ボタン等の数字ボタン等で構成される操作ボタンを表示する。顧客操作表示部１１が引出し可能期日入力画面を表示すると振込依頼人である顧客は表示された操作ボタンを押下して引出し可能期日を入力する。
【００５３】
ここで、引出し可能期日とは受取人である顧客が現金を引出すことができる時間帯、日付または期間であるものとする。例えば、引出すことができる時間帯は午前１０時から午前１１時まで、引出すことができる日付は１２月１日、引出すことができる期間は１２月１日から１２月３日まで等を設定するものとする。
なお、引出し可能期日は時間帯、日付または期間のいずれかを設定してもよいし、時間帯と日付、時間帯と期間のように複数の条件を合わせて設定するようにしてもよい。
【００５４】
顧客操作表示部１１で引出し可能期日の入力を受け付けると入力された引出し可能期日を受取人の金融機関名、支店名、口座番号ならびに振込み金額等の振込み情報およびカードから読取った振込依頼人の口座情報とともにホストコンピュータ３へ送信する。
ホストコンピュータ３は受信した受取人の金融機関名、支店名、口座番号に基づいて引出し許可情報データベース５の受取人口座情報２１を検索し、その受取人口座情報２１に関連付けて、振込依頼人の口座情報を振込元口座情報２２に、振込み金額を振込金額２４に、引出し可能期日を引出し可能条件２５に格納するとともに現在の日付を引出し可能条件設定日２６に格納する。なお、振込元氏名２３は振込依頼人の口座情報に基づいて顧客データベースを検索し、抽出した振込依頼人の氏名を格納するものとする。
【００５５】
なお、引出し可能期日の入力を受け付けた自動取引装置１はその引出し可能期日を顧客操作表示部１１により表示するものとする。また、図示しない明細票印刷部によりその引出し可能期日を明細票に印刷して振込依頼人に発行するようにしてもよい。
Ｓ７ｃ：ホストコンピュータ３は受信した受取人の金融機関名、支店名、口座番号ならびに振込み金額等の振込み情報および振込依頼人の口座情報に基づいて通常の振込処理を行う。
【００５６】
このようにして振込依頼人は自動取引装置１で振込み取引処理を行う。
次に、受取人が自動取引装置１で行う現金引出し取引処理を説明する。
図７は第２の実施例における現金引出し取引処理のフローチャートであり、図中Ｓで表すステップにしたがって説明する。
Ｓ１ｄ：図示しない自動取引装置１の近接センサにより受取人である顧客の接近を検知すると自動取引装置１の顧客操作表示部１１は取引選択画面を表示する。この取引選択画面は、「いらっしゃいませ。お取引をお選びください。」等の文言および「お引出し」、「お振込み」、「お預入れ」、「残高照会」等の取引選択ボタンで構成されたものである。
【００５７】
Ｓ２ｄ：顧客操作表示部１１に取引選択画面が表示されると顧客は希望する取引に対応する取引選択ボタンである「お引出し」を押下するものとする。
顧客操作表示部１１が「お引出し」の取引選択ボタンの押下を検知すると顧客操作表示部１１は制御部１５の指示により顧客にカードの挿入を促すカード挿入誘導画面を表示する。顧客はカード挿入誘導画面にしたがって所持しているカードをカードリーダ部１２のカード挿入排出口から挿入する。
【００５８】
Ｓ３ｄ：カードリーダ部１２は挿入されたカードの磁気ストライプやＩＣチップ等から口座番号等の口座情報を読取る。カードが挿入されると顧客操作表示部１１は顧客の暗証番号の入力を受け付ける暗証番号入力画面を表示する。この暗証番号入力画面には「１」から「９」および「０」ボタン等で構成される操作ボタンを表示する。顧客操作表示部１１が暗証番号入力画面を表示すると顧客は表示された操作ボタンを押下して暗証番号を入力する。
【００５９】
顧客が暗証番号を入力すると制御部１５は通信回線２を介してその暗証番号をカードから読取った口座情報等とともにホストコンピュータ３へ送信する。
ホストコンピュータ３は受信した顧客の口座番号等の口座情報に基づいて顧客データベース４を検索して暗証番号を抽出し、受信した暗証番号と比較して一致するか否かの照合、すなわち、本人認証を行う。ホストコンピュータ３は通信部を介してその結果を自動取引装置１へ送信する。
【００６０】
なお、本人認証は暗証番号を使用したものに限られるものでなく、生体認証等を使用した本人認証であってもよい。
本人認証の結果、本人であることが確認できるとホストコンピュータ３は受信した口座情報に基づいて引出し可能条件データベース５の受取人口座情報２１を検索し、振込元口座情報２２、振込元氏名２３、振込金額２４、引出し可能条件２５および引出し可能条件設定日２６を抽出する。
【００６１】
ホストコンピュータ３は抽出した振込元口座情報２２、振込元氏名２３、振込金額２４、引出し可能条件２５および引出し可能条件設定日２６を通知する電文を自動取引装置１へ送信する。
なお、抽出した振込元口座情報２２等に情報が格納されていない場合、すなわち、当該顧客に振込みが行われていない場合は通常の現金引出し取引を行なうものとする。
【００６２】
Ｓ４ｄ：抽出した振込元口座情報２２、振込元氏名２３、振込金額２４、引出し可能条件２５および引出し可能条件設定日２６等を通知する電文を受信した自動取引装置１の顧客操作表示部１１は図１１に示す振込み受領確認画面を表示する。この振込み受領確認画面は「お客様に次のお振込みがありました。受領しますか？  受領する場合は確認を押してください  受領しない場合は拒否を押してください  今回受領しない場合は保留を押してください」等の文言および振込人氏名、口座番号、金額ならびに受領を選択する「確認」ボタン、受領拒否を選択する「拒否」ボタン、今回受領しないを選択する「保留」ボタン等で構成されたものである。
【００６３】
この振込み受領確認画面の振込人氏名、口座番号、金額は受信した振込元氏名２３、振込元口座情報２２、振込金額２４を表示するものとする。
Ｓ５ｄ：制御部１５は「確認」ボタン、「拒否」ボタンまたは「保留」ボタンの押下を待つ。「拒否」ボタンの押下を検知すると処理をＳ１０ｄへ、「保留」ボタンの押下を検知すると処理をＳ１１ｄへ移行させる。
【００６４】
Ｓ６ｄ：一方、「確認」ボタンが押下されたことを検知すると制御部１５は受信した引出し可能条件設定日２６から所定の期間が経過しているか否かを判定する。なお、この所定の期間はホストコンピュータ３から受信した電文に含まれているものとする。判定の結果、所定の期間が経過していると判定されると処理をＳ１０ｄへ移行させる。
ここで、この引出し可能条件設定日２６から所定の期間が経過しているか否かを判定は、ホストコンピュータ３で自動取引装置１における取引の有無に関わらず行うようにしてもよい。
【００６５】
Ｓ７ｄ：一方、判定の結果、所定の期間が経過していないと判定されると制御部１５は現在の日付および時刻と引出し可能条件２５を照合し、引き出し可能期日の範囲内にあるかを判定する。判定の結果、引き出し可能期日の範囲内でないと判定されると処理をＳ１０ｄへ移行する。
Ｓ８ｄ：一方、判定の結果、引き出し可能期日の範囲内にあると判定されると、顧客操作表示部１１は引出し金額を入力する画面を表示し、引出し金額の入力を受付ける。
【００６６】
Ｓ９ｄ：引出し金額の入力を受付けると以降は通常の現金引出し取引を実行する。
Ｓ１０ｄ：一方、Ｓ５ｄにおいて拒否ボタンが押下され、Ｓ６ｄにおいて所定の期間が経過し、Ｓ７ｄにおいて引き出し可能期日の範囲内でないと判定されると、振込金額を振込元口座へ戻す振込取消処理を行う。これにより、振込依頼人が行った振込み取引はなかったものとされる。
【００６７】
Ｓ１１ｄ：また、Ｓ５ｄにおいて保留ボタンが押下された場合、次回の取引時に再度振込受領確認を行なうようにする振込受領保留処理を行う。
このようにして受取人は自動取引装置１で現金引出し取引を行なう。
なお、本実施例では引き出し可能期日の範囲内であるか否かの判定は自動取引装置１で行うようにしたが、ホストコンピュータ３で行うようにしてもよい。
【００６８】
また、本実施例では、自動取引装置１で行う振込み取引で説明したがパーソナルコンピュータ等で行うインターネットバンキングの振込み取引で行うようにしてもよい。
以上説明したように、第２の実施例では、振込依頼者が設定した引き出し可能期日範囲内で受取人による現金引出し取引を可能にさせることにより、引き出し可能期日を知らない者による現金引出し取引を困難なものにして架空請求等の不正な請求を防止することができるという効果が得られる。
【００６９】
また、振込依頼人が誤った口座に振り込んでしまった場合、所定の期間が経過するとその振込みを取消すことができるという効果が得られる。
次に、第３の実施例を説明する。
第３の実施例の構成は第１の実施例の構成と同様なので同一の符号を付してその説明を省略する。
【００７０】
第３の実施例の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、振込依頼人が自動取引装置１で行う振込み取引処理を説明する。
【００７１】
図８は第３の実施例における振込み取引処理のフローチャートであり、図中Ｓで表すステップにしたがって説明する。
Ｓ１ｅからＳ５ｅ：Ｓ１ａからＳ５ａと同様なのでその説明を省略する。
Ｓ６ｅ：一方、Ｓ５ｅの判定の結果、その受取人への振込み取引の履歴が存在しないと判定されるとホストコンピュータ３は引出し可能場所の設定を指示する電文を自動取引装置１へ送信する。その引出し可能場所の設定を指示する電文を受信した自動取引装置１の顧客操作表示部１１は顧客の引出し可能場所の入力を受け付ける引出し可能場所入力画面を表示する。この引出し可能場所入力画面には「１」から「９」および「０」ボタン等の数字ボタンやカタカナを入力するカナボタン等で構成される操作ボタンを表示する。顧客操作表示部１１が引出し可能場所入力画面を表示すると振込依頼人である顧客は表示された操作ボタンを押下して引出し可能場所を入力する。
【００７２】
ここで、引出し可能場所とは受取人である顧客が現金を引出すことができる金融機関、店舗であるものとする。例えば、引出すことができる金融機関は○○銀行、引出すことができる店舗は△△支店等を設定するものとする。
なお、引出し可能場所は金融機関または店舗のいずれかを設定してもよいし、金融機関と店舗の両方の条件を合わせて設定するようにしてもよい。
【００７３】
顧客操作表示部１１で引出し可能場所の入力を受け付けると入力された引出し可能場所（金融機関コード、店舗コード）を受取人の金融機関名、支店名、口座番号ならびに振込み金額等の振込み情報およびカードから読取った振込依頼人の口座情報とともにホストコンピュータ３へ送信する。
ホストコンピュータ３は受信した受取人の金融機関名、支店名、口座番号に基づいて引出し許可情報データベース５の受取人口座情報２１を検索し、その受取人口座情報２１に関連付けて、振込依頼人の口座情報を振込元口座情報２２に、振込み金額を振込金額２４に、引出し可能場所を引出し可能条件２５に格納するとともに現在の日付を引出し可能条件設定日２６に格納する。なお、振込元氏名２３は振込依頼人の口座情報に基づいて顧客データベースを検索し、抽出した振込依頼人の氏名を格納するものとする。
【００７４】
なお、引出し可能場所の入力を受け付けた自動取引装置１はその引出し可能場所を顧客操作表示部１１により表示するものとする。また、図示しない明細票印刷部によりその引出し可能場所を明細票に印刷して振込依頼人に発行するようにしてもよい。
Ｓ７ｅ：ホストコンピュータ３は受信した受取人の金融機関名、支店名、口座番号ならびに振込み金額等の振込み情報および振込依頼人の口座情報に基づいて通常の振込処理を行う。
【００７５】
このようにして振込依頼人は自動取引装置１で振込み取引処理を行う。
次に、受取人が自動取引装置１で行う現金引出し取引処理を説明する。
図９は第３の実施例における現金引出し取引処理のフローチャートであり、図中Ｓで表すステップにしたがって説明する。
Ｓ１ｆからＳ４ｆ：Ｓ１ｄからＳ４ｄと同様なのでその説明を省略する。
【００７６】
Ｓ５ｆ：制御部１５は「確認」ボタン、「拒否」ボタンまたは「保留」ボタンの押下を待つ。「拒否」ボタンの押下を検知すると処理をＳ１０ｆへ、「保留」ボタンの押下を検知すると処理をＳ１１ｆへ移行させる。
Ｓ６ｆ：一方、「確認」ボタンが押下されたことを検知すると制御部１５は受信した引出し可能条件設定日２６から所定の期間が経過しているか否かを判定する。なお、この所定の期間はホストコンピュータ３から受信した電文に含まれているものとする。判定の結果、所定の期間が経過していると判定されると処理をＳ１０ｆへ移行させる。
【００７７】
ここで、この引出し可能条件設定日２６から所定の期間が経過しているか否かを判定は、ホストコンピュータ３で自動取引装置１における取引の有無に関わらず行うようにしてもよい。
Ｓ７ｆ：一方、判定の結果、所定の期間が経過していないと判定されると制御部１５は記憶部１４に記憶された金融機関および店舗を読み出し、その金融機関および店舗と引出し可能条件２５を照合し、引き出し可能場所であるかを判定する。判定の結果、引き出し可能場所でないと判定されると処理をＳ１０ｆへ移行する。
【００７８】
Ｓ８ｆ：一方、判定の結果、引き出し可能場所であると判定されると、顧客操作表示部１１は引出し金額を入力する画面を表示し、引出し金額の入力を受付ける。
Ｓ９ｆ：引出し金額の入力を受付けると以降は通常の現金引出し取引を実行する。
Ｓ１０ｆ：一方、Ｓ５ｆにおいて拒否ボタンが押下され、Ｓ６ｆにおいて所定の期間が経過し、Ｓ７ｆにおいて引き出し可能場所でないと判定されると、振込金額を振込元口座へ戻す振込取消処理を行う。これにより、振込依頼人が行った振込み取引はなかったものとされる。
【００７９】
Ｓ１１ｆ：また、Ｓ５ｆにおいて保留ボタンが押下された場合、次回の取引時に再度振込受領確認を行なうようにする振込受領保留処理を行う。
このようにして受取人は自動取引装置１で現金引出し取引を行なう。
なお、本実施例では、引き出し可能場所の判定はホストコンピュータ３で行うようにしたが、自動取引装置１の制御部１５で行うようにしてもよい。
【００８０】
また、本実施例では、自動取引装置１で行う振込み取引で説明したがパーソナルコンピュータ等で行うインターネットバンキングの振込み取引で行うようにしてもよい。
以上説明したように、第３の実施例では、振込依頼者が設定した引き出し可能場所で受取人による現金引出し取引を可能にさせることにより、引き出し可能場所を知らない者による現金引出し取引を不可能なものにして架空請求等の不正な請求を防止することができるという効果が得られる。
【００８１】
また、振込依頼人が誤った口座に振り込んでしまった場合、所定の期間が経過するとその振込みを取消すことができるという効果が得られる。
次に、第４の実施例を説明する。
第４の実施例の構成は第１の実施例の構成と同様なので同一の符号を付してその説明を省略する。
【００８２】
第４の実施例の作用について説明する。
なお、以下に説明する各部の動作は、図示しないメモリや磁気ディスク等の記憶手段に格納されたプログラム（ソフトウェア）に基づいて図示しない中央処理装置等の制御手段により制御される。
まず、振込依頼人が自動取引装置１で行う振込み取引処理を説明する。
【００８３】
図１０は第４の実施例における振込み取引処理のフローチャートであり、図中Ｓで表すステップにしたがって説明する。
Ｓ１ｇからＳ４ｇ：Ｓ１ａからＳ４ａと同様なのでその説明を省略する。
Ｓ５ｇ：振込み情報およびカードから読取った振込依頼人の口座情報を受信したホストコンピュータ３は取引履歴情報データベース４の顧客口座情報を振込依頼人の口座情報に基づいて検索して取引履歴情報を抽出し、さらに、その取引履歴情報を検索し、受信した振込先口座番号等が含まれている否かを判定する。すなわち、ホストコンピュータ３は、当該振込依頼人によるその受取人への振込み取引の履歴の有無を判定する。
【００８４】
その判定の結果、その受取人への振込み取引の履歴が存在すると判定されると処理をＳ８ｇへ移行する。
Ｓ６ｇ：一方、Ｓ５ｇの判定の結果、その受取人への振込み取引の履歴が存在しないと判定されるとホストコンピュータ３は受信した振込金額が予め記憶部に記憶された限度額と比較し、その限度額を超えているか否かを判定する。
【００８５】
Ｓ７ｇ：その判定の結果、限度額を超えていると判定されるとその振込取引を取消すものとする。一方、限度額を超えていないと判定されると処理をＳ８ｇへ移行する。
Ｓ８ｇ：ホストコンピュータ３は受信した受取人の金融機関名、支店名、口座番号ならびに振込み金額等の振込み情報および振込依頼人の口座情報に基づいて通常の振込処理を行う。
【００８６】
このようにして振込依頼人は自動取引装置１で振込み取引処理を行う。
なお、受取人は自動取引装置１で通常の現金引出し取引を行なうことができるものとする。
以上説明したように、第４の実施例では、予め設定された限度額以上の振込みを不可能にすることにより、架空請求等の不正な請求があった場合や振り込む口座を誤った場合であっても高額な被害を防止することができるという効果が得られる。
【図面の簡単な説明】
【００８７】
【図１】第１の実施例における自動取引システムの構成を示すブロック図
【図２】第１の実施例における自動取引装置の構成を示すブロック図
【図３】第１の実施例における引出し許可条件データベースの構成を示す説明図
【図４】第１の実施例における振込み取引処理のフローチャート
【図５】第１の実施例における現金引出し取引処理のフローチャート
【図６】第２の実施例における振込み取引処理のフローチャート
【図７】第２の実施例における現金引出し取引処理のフローチャート
【図８】第３の実施例における振込み取引処理のフローチャート
【図９】第３の実施例における現金引出し取引処理のフローチャート
【図１０】第４の実施例における振込み取引処理のフローチャート
【図１１】第１の実施例における振込み受領確認画面の説明図
【符号の説明】
【００８８】
１    自動取引装置
２    通信回線
３    ホストコンピュータ
４    取引履歴情報データベース
５    引出し許可条件データベース
１１  顧客操作表示部
１２  カードリーダ部
１３  入出金部
１４  記憶部
１５  制御部
【図１】
2007193676.tif 000003
【図２】
2007193676.tif 000004
【図３】
2007193676.tif 000005
【図４】
2007193676.tif 000006
【図５】
2007193676.tif 000007
【図６】
2007193676.tif 000008
【図７】
2007193676.tif 000009
【図８】
2007193676.tif 000010
【図９】
2007193676.tif 000011
【図１０】
2007193676.tif 000012
【図１１】
2007193676.tif 000013